(57)【要約】【課題】床面の部分補修を極めて簡単に行い得るようにした置敷き型床材を提供する。【解決手段】置敷き型床材を、正方形で且つその四辺にはその裏面１１ｂと略同一平面を形成する突縁部１４を設けた第１床材１１と、長方形で且つその長辺を第１床材１１の辺長さと略一致させるとともに、長辺にはその表面１２ａと略同一平面を形成する突縁部１５が設ける一方、短辺にはその裏面１２ｂと略同一平面を形成する突縁部１６を設けた第２床材１２と正方形で且つその四辺に裏面１３ｂと略同一平面を形成する突縁部１４が設けられた第３床材１３で構成する。これら各床材を組み合わせて置敷きすることで、補修性に優れた床面１を得ることができる。【選択図】図１
2015021381.tif 000002
【特許請求の範囲】
【請求項１】
正方形の平面形状を有する第１床材（１１）であって、その四辺には該第１床材（１１）の略半分の厚さをもち且つその裏面（１１ｂ）と略同一平面を形成するようにして突縁部（１４）が設けられた第１床材（１１）と、
長方形の平面形状を有する第２床材（１２）であって、その長辺の長さが上記第１床材（１１）の辺長さに略一致するとともに、一対の長辺には上記第２床材（１２）の略半分の厚さをもち且つその表面（１２ａ）と略同一平面を形成するようにして突縁部（１５）が設けられる一方、一対の短辺には上記第２床材（１２）の略半分の厚さをもち且つその裏面（１２ｂ）と略同一平面を形成するようにして突縁部（１６）が設けられた第２床材（１２）と、
正方形の平面形状を有する第３床材（１３）であって、その四辺には該第３床材（１３）の略半分の厚さをもち且つその裏面（１３ｂ）と略同一平面を形成するようにして突縁部（１４）が設けられた第３床材（１３）とを備え、
下地材（２）上において、上記各床材（１１）〜（１３）を、上記第１床材（１１）の各辺に設けられた上記各突縁部（１４）を、該第１床材（１１）の周囲に配置される上記第２床材（１２）の長辺に設けられた上記突縁部（１５）によって押圧支持させるとともに、上記第２床材（１２）の短辺に設けられた上記突縁部（１６）を上記第３床材（１３）の上記突縁部（１７）によって押圧支持させるようにして順次敷設することを特徴とする置敷き型床材。
【請求項２】
請求項１において、
上記第３床材（１３）がビス（２１）によって上記下地材（２）側に着脱可能に固定されることを特徴とする置敷き型床材。
【発明の詳細な説明】
【技術分野】
【０００１】  本願発明は、予め設けられた下地材上に置敷き施工により設置される置敷き型床材に関するものである。
【背景技術】
【０００２】  置敷き型床材は、下地材上に床材を順次敷き詰めて所要大きさの床面を得るものであるが、この場合における隣接する各床材間の接合には、いわゆる「本実接合」が採用されている（例えば、特許文献１参照）。【０００３】  この「本実接合」は、一方の床材の側縁に設けた雄実を他方の床材の側縁に設けた雌実に嵌入させて接合する工法であって、施工完了状態においては一方の床材の雄実と他方の床材の雌実が上下方向において係合することから、接合強度という点での信頼性は高いものとなる。【０００４】  ところで、例えば、何らかの原因によって床材の表面に汚れとか損傷が生じた場合、これを補修することが必要となる。この場合、補修を要する領域が広い場合には床材の全面的な貼り替えを行うことになるが、補修を要する領域が狭く、特定部位の床材の貼り替えのみで対応できる場合には、この汚れ等のある床材のみを取り替える部分補修を行うのが一般的である。【０００５】  このような床材の部分補修を行う場合の工法としては、例えば、特許文献２に示されるものがある。
【先行技術文献】
【特許文献】
【０００６】
【特許文献１】  特開２０１２−１４０８５３号公報
【特許文献２】  特開２００８−０５０７５７号公報
【発明の概要】
【発明が解決しようとする課題】
【０００７】  ところが、特許文献２に示される補修工法は、床材を複数個づつ多列に置敷きして構築された床面において、予め各列にそれぞれ補修用床材（即ち、長手続方向の一端を雄実とする一方、他端を雌実の下部を切り落としたものとし、ビスによって仮止めされる床材）を配置しておく。そして、何れかの列に属す床材に補修の必要が生じた場合、この列の補修用床材を取り外し、この取り外しにより発生したスペースを利用して、補修すべき床材を列方向に移動させ、その前後両側にスペースを確保した上で、補修すべき床材を壊して外す。しかる後、この取り外し部分に新しい床材を、撓み変形させながら嵌入させて隣接する床材と本実接合するものである。【０００８】  しかし、この特許文献２の工法では、床面の各列に予め補修用床材を配置しておく構成であるが、この予め配置した補修用床材の位置と、補修すべき床材の位置が離れている場合には、当該補修用床材を取り外した後、この部位から補修すべき床材の位置までの間にある全ての床材を順次移動させる必要が有り、また、補修すべき床材の取り外しに際しては、本実接合の機能上、該床材をそのまま持ち上げて取り外すことができず、該床材を壊す等して取り外さなければならず、作業が極めて煩雑であった。【０００９】  さらに、新たな床材を空スペースに配置する場合、他の床材が本実接合されているのでこの新たな床材も本実接合する必要がある。このため、上記空スペース部分において、上記床材を撓み変形させて強制的に嵌合させるようにしているが、このような撓み変形を利用した嵌合手法は、該床材が比較的薄く可撓性があるものに限られることから、その適用範囲は極めて限定される。【００１０】  そこで本願発明は、床面の部分補修を極めて簡単に行うことができる置敷き型床材を提供することを目的としてなされたものである。
【課題を解決するための手段】
【００１１】  本願発明ではかかる課題を解決するための具体的手段として次のような構成を採用している。【００１２】  本願の第１の発明では、正方形の平面形状を有する第１床材１１であって、その四辺には該第１床材１１の略半分の厚さをもち且つその裏面１１ｂと略同一平面を形成するようにして突縁部１４が設けられた第１床材１１と、長方形の平面形状を有する第２床材１２であって、その長辺の長さが上記第１床材１１の辺長さに略一致するとともに、一対の長辺には上記第２床材１２の略半分の厚さをもち且つその表面１２ａと略同一平面を形成するようにして突縁部１５が設けられる一方、一対の短辺には上記第２床材１２の略半分の厚さをもち且つその裏面１２ｂと略同一平面を形成するようにして突縁部１６が設けられた第２床材１２と、正方形の平面形状を有する第３床材１３であって、その四辺には該第３床材１３の略半分の厚さをもち且つその裏面１３ｂと略同一平面を形成するようにして突縁部１４が設けられた第３床材１３とを備え、下地材２上において、上記各床材１１〜１３を、上記第１床材１１の各辺に設けられた上記各突縁部１４を、該第１床材１１の周囲に配置される上記第２床材１２の長辺に設けられた上記突縁部１５によって押圧支持させるとともに、上記第２床材１２の短辺に設けられた上記突縁部１６を上記第３床材１３の上記突縁部１７によって押圧支持させるようにして順次敷設されることを特徴としている。
本願の第２の発明では、上記第１の発明に係る置敷き型床材において、上記第３床部材１３をビス２１によって上記下地材２側に着脱可能に固定したことを特徴としている。
【発明の効果】
【００１３】  本願発明では次のような効果が得られる。【００１４】  （ａ）本願の第１の発明に係る置敷き型床材によれば、床面１において、上記第３床材１３を取り外して該第３床材１３による上記第２床材１２に対する押圧支持作用を解除することで該第２床材１２をそのまま上方に持ち上げて取り外すことができ、さらに、上記第２床材１２を取り外して該第２床材１２による上記第１床材１１に対する押圧支持作用を解除することで該第１床材１１をそのまま上方に持ち上げて取り外すことができる。【００１５】  従って、例えば、第１床材１１が損傷等してその取り替えが必要となった場合には、少なくとの該第１床材１１の隣り合う二辺に配置された上記第３床材１３と上記第２床材１２をこの順序で順次取り外せば、上記第１床材１１を容易に取り外すことができる。【００１６】  また、取り外した第１床材１１の代わりに新しい第１床材１１を置敷きした後、取り外されていた上記第２床材１２と第３床材１３をこの順序で置敷きして復元させることで、上記第１床材１１の交換作業が完了する。【００１７】  なお、上記第２床材１２が補修対象である場合には、少なくとも該第２床材１２の左右両端側に配置された第３床材１３のうち、少なくとも何れか一方を取り外した後、上記第２床材１２を取り外せばよい。さらに、上記第３床材１３が補修対象である場合には、該第３床材１３のみを取り外せば良い。【００１８】  即ち、この発明の置敷き型床材によれば、部分補修が必要な床材が、床面１のどの位置にある床材であっても、またどの種類の床材（上記第１床材１１〜第３床材１３の何れか）であっても、補修対象の床材の周囲に位置する他の床材に損傷を及ぼすことなく、また本実接合の場合のように隣接する他の床材との接合及び離脱を考慮することなく最小限の作業によって部分補修を行うことができるものであり、極めて補修性に優れた床面１を構成することができ、実用上極めて有用である。【００１９】  （ｂ）本願の第２の発明に係る置敷き型床材によれば、上記第２床材１２、及び該第２床材１２を介して上記第１床材１１を同時に押圧支持する上記第３床部材１３を、ビス２１によって上記下地材２側に着脱可能に固定するようにしているので、該ビス２１の取付け・取り外しのみによって、上記第１床材１１、第２床材１２及び第３床材１３の取付け・取り外しを行うことができる。この結果、上記第１床材１１〜第３床材１３の置敷きによる床面１の形成作業、及び床材の部分補修時の取付け・取り外し作業の簡易迅速化、低コスト化が促進される。
【図面の簡単な説明】
【００２０】
【図１】  本願発明の実施形態に係る置敷き型床材の施工状態を示す斜視図である。
【図２】  上記置敷き型床材の最小モデルを示す斜視図である。
【図３】  図３のＩＩＩ−ＩＩＩ断面図である。
【図４】  図３のＩＶ−ＩＶ断面図である。
【図５】  図２に示す最小モデルの分解斜視図である。
【図６】  第１床部材の一部断面斜視図である。
【図７】  第２床部材の一部断面斜視図である。
【図８】  第３床部材の一部断面斜視図である。
【図９】  置敷き型床材の一部部材の補修手順説明図である。
【発明を実施するための形態】
以下、本願発明を好適な実施形態に基づいて具体的に説明する。
【００２１】  図１には、下地材２の上側に、次述する三つの床材、第１床材１１と第２床材１２及び第３床材１３を順次所定パターンで置敷きして構成される床面１を示している。
【００２２】  また図２には、この床面１の基本となる最小モデルを示している。ここでは、この最少モデルで構成される床面１を例にとってその具体的構成を説明し、しかるのち、この最少モデルを組み合わせて構成される床面１についてその施工方法及び特定の床材に対する部分補修方法等について説明する。
【００２３】  上述のように、上記床面１は、次述する第１床材１１と第２床材１２及び第３床材１３を適宜組み合わせて構成されるものであるが、この場合の基本思想は、各床材間の接合方法を、床面形成後における部分補修が困難な「本実接合」とはせずに、床材の各辺に突縁部を設け、この突縁部同士を上下に重ね合わせることで、下側の床材を上側の床材によって押圧支持する「重合せ構造」とし、床面１の形成後における床材の部分補修を簡単且つ低コストで行い得るようにすることにある。以下、これを詳述する。
【００２４】  Ａ：各床材の構成
Ａ−１：第１床材１１
上記第１床材１１は、図２、図５及び図６に示すように、所定厚さ（例えば、１２ｍｍ）の木製合板を、一辺の長さを所定長さ（例えば、４００ｍｍ）とした正方形に切り出して形成されるものであって、その各辺には、該第１床材１１の厚さの略半分の厚さをもち且つその裏面１１ｂと略同一平面を形成するようにして突縁部１４が設けられている。
【００２５】  Ａ−１：第２床材１２
上記第２床材１２は、図２、図５、図７に示すように、上記第１床材１１と同様の厚さの木製合板を、長方形に切り出して構成される。そして、この第２床材１２は、その長辺側を上記第１床材１１に接合させる必要上、長辺の長さを上記第１床材１１の辺長さと同じ寸法（例えば、４００ｍｍ）に設定している。しかし、上記第２床材１２の短辺の長さは、他の床材との相対関係はなく任意に設定可能であるが、この実施形態では該第２床材１２の強度性能を考慮して、例えば、１００ｍｍに設定している。
【００２６】  また、この第２床材１２においては、その一対の長辺に、該第２床材１２の厚さの略半分の厚さをもち且つその表面１２ａと略同一平面を形成するようにして突縁部１５を設けている。さらに、上記第２床材１２の短辺には、該第２床材１２の厚さの略半分の厚さをもち且つその裏面１２ｂと略同一平面を形成するようにして突縁部１６を設けている。
【００２７】  Ａ−３：第３床材１３
上記第３床材１３は、図２、図５、図８に示すように、上記第１床材１１及び第２床材１２と同様の厚さの木製合板を正方形に切り出して構成されるが、この第３床材１３は上記第２床材１２の短辺に接合されることを考慮して、その一辺の長さを、上記第２床材１２の短辺の長さ（１００ｍｍ）と同じ寸法に設定している。
【００２８】  また、この第３床材１３においては、その各辺に、該第３床材１３の厚さの略半分の厚さをもち且つその表面１３ａと略同一平面を形成するようにして突縁部１７を設けている。さらに、この第３床材１３の略中央位置には、ビス孔１９が貫設されている。
【００２９】  Ｂ：各床材の相対関係
最少モデルの床面１は図２に示す通りである。この最少モデルの床面１の構成部材を分解して示したのが図５である。
【００３０】  Ｂ−１：各床材の置敷き
上記床面１は、上記第１床材１１を中心に各床材を置敷きすることで構築される。先ず、下地材２上に載置された第１床材１１の各辺にそれぞれ上記第２床材１２を接合する。即ち、図４に示すように、上記第１床材１１の各辺に上記１２の長辺側を対応させ、該第１床材１１の上記突縁部１４の上側に上記第２床材１２の上記突縁部１５を重ねあわせることで、該第２床材１２の突縁部１５によって上記第１床材１１の突縁部１４を押圧支持させる。この場合、上記第１床材１１の各辺の長さと上記第２床材１２の長辺の長さが同一とされているため、上記第１床材１１の各辺は上記第２床材１２の長辺によってその全長に亘って押圧支持されることになる。
【００３１】  このように上記第１床材１１の各辺に上記第２床材１２を接合した状態においては、これら各第２床材１２の端部同士が上記第１床材１１の隅部を挟んで直交方向に対向した状態となっており、これらの間に正方形状の空スペースが形成される。また、この場合、上記第２床材１２の端部に設けられた突縁部１６も上記空スペース側へ延出している。
【００３２】  従って、次に、上記空スペース部分に上記第３床材１３を配置し、該第３床材１３の一の突縁部１７によって一方側の第２床材１２の突縁部１６をその上側から押圧支持すると同時に、該第３床材１３の他の突縁部１７によって他方側の第２床材１２の突縁部１６をその上側から押圧支持する。
【００３３】  このような置敷き状態において、上記各第３床材１３をビス２１によって上記下地材２側に固定することで、該第３床材１３によって上記第２床材１２が固定され、さらに上記第２床材１２によって上記第１床材１１が固定され、結果的に各床材が強固に接合された床面１が得られる（図２参照）。
【００３４】  以上のように、上記各床材の置敷き作業においては、先に配置された床材の突縁部に、次の床材の突縁部を重ね合わせるなど、突縁部の重ね合わせによって上記各床材が接合されるものであり、例えば、本実接合のように雄実と雌実の嵌合作業を必要とするものに比して、床面１の構築に伴う各床材の置敷き作業を簡易且つ迅速に行うことができる。
【００３５】  Ｂ−２：各床材の取り外し
図２に示す床面１において、上記各床材を取り外す場合には、先ず上記第３床材１３のビス止めを解除し、該第３床材１３を上記下地材２から取り外す。すると、この第３床材１３の取り外しに伴って、上記第２床材１２に作用していた上記第３床材１３からの押圧支持力が消滅するため、該第２床材１２はこれをそのまま上方に持ち上げて取り外すことができる。
【００３６】  このようにして上記第２床材１２が取り外されると、上記第１床材１１はその動きを規制するものが無くなるため、該第１床材１１はこれをそのまま上方へ持ち上げて取り外すことができる。
【００３７】  即ち、上記各床材の取り外し作業においては、後から配置された床材の突縁部を、先に配置された床材の突縁部から上方に引き上げて離脱させることで、各床材を順次取り外すことができ、例えば、本実接合のように雄実と雌実の嵌合離脱作業を必要とするものに比して、各床材の取り外し作業を簡易且つ迅速に行うことができる。
【００３８】  Ｃ：床面１の部分補修作業
上記床面１を構成する上記各床材の何れかに対して、新しい床材への取替え等の部分補修作業を実施する場合の作業手順について、図９を参照して説明する。
【００３９】  ここでは、図９において符号１１Ａで示した第１床材を補修対象とし、これを取り外す場合について説明するが、この床材の取り外しに関しては、二つの手法がある。その一つは、補修対象の第１床材１１の周囲にある４枚の第２床材１２と同じく４枚の第３床材１３の全てを取り外し（即ち、第１床材１１の上下方向への移動を規制する部材を皆無とし）、この状態で、上記第１床材１１をそのまま上方へ持ち上げてこれを取り外す。さらに、補修対象の取り外しにより生じた空スペース内に新しい第１床材１１を置敷きし、しかる後、上記第２床材１２及び第３床材１３を順次取り付けて新たな床面１を得る手法（以下、「第１の手法」）である。
【００４０】  他の手法は、図９に示すように、補修対象である第１床材１１の隣接する二辺に対応する２枚の第２床材１２Ａと３枚の第３床材１３Ａのみを取り外す手法である。この手法によれば、上記第２床材１２と第３床材１３を取り外すことで、上記第１床材１１の上記二辺側に直交する溝状の空スペースが発生するため、上記第１床材１１をこの空スペース側へ移動させて、該第１床材１１の他の二辺の突縁部１４と、残存する２枚の第２床材１２の突縁部１５との係合状態を解除し、しかる後、該第１床材１１を上方へ取り出す手法（以下、「第２の手法」）である。
【００４１】  上記第１の手法によれば、取り外し・取付けを要する部材点数は多いが、上記第１床材１１の取り外し作業と、新たな第１床材１１の置敷き作業を、共に上記第２床材１２等の存在を気にすることなく容易且つ迅速に行うことができるという利点がある。これに対して、第２の工法では、取り外し・取付けを要する部材点数は少ないが、上記第１床材１１の取り外し作業と、新たな第１床材１１の置敷き作業に際しては、残存する上記第２床材１２の突縁部１５の下側から上記第１床材１１の突縁部１４を引き出すことが必要となる。即ち、これら両手法の効果は得失相反するが、これら何れの手法を採用するかは、任意である。
【００４２】  以上のように、この実施形態の置敷き型床材によれば、部分補修が必要な床材が、床面１のどの位置にある床材であっても、またどの種類の床材（上記第１床材１１〜第３床材１３の何れか）であっても、補修対象の床材の周囲に位置する他の床材に損傷を及ぼすことなく、また本実接合の場合のように隣接する他の床材との接合及び離脱を考慮することなく最小限の作業によって部分補修を行うことができるものであり、極めて補修性に優れた床面１を構成することができ、実用上極めて有用である。
【符号の説明】
【００４３】１    ・・床面
２    ・・下地材
１１  ・・第１床材
１２  ・・第２床材
１３  ・・第３床材
１４  ・・突縁部
１５  ・・突縁部
１６  ・・突縁部
１７  ・・突縁部
１９  ・・ビス孔
２０  ・・埋込栓
２１  ・・ビス
【図１】
2015021381.tif 000003
【図２】
2015021381.tif 000004
【図３】
2015021381.tif 000005
【図４】
2015021381.tif 000006
【図５】
2015021381.tif 000007
【図６】
2015021381.tif 000008
【図７】
2015021381.tif 000009
【図８】
2015021381.tif 000010
【図９】
2015021381.tif 000011